(57)【要約】【課題】制御基板より発火した場合でも、上部外装体やパネル部材が類焼することがない安全な洗濯機を提供すること。【解決手段】洗濯機本体１７に積載した上部外装体１８内に収容され洗濯機の運転を制御する制御基板３１と、前記制御基板３１を内装した舟状ケース３６と、前記舟状ケース３６に充填することで制御基板３１を防水保護する防湿ポッティング材４６とを備え、制御基板３１上に実装された高電流が流れるリレー４２ａ、トライアック４２ｂおよび雄コネクタ４０ａ、雌コネクタ４１ａ、等を難燃性または不燃性の材質で構成されたカバー体４３で覆われる構成としたことにより、万が一、制御基板上の高電流が流れる部分から発火した場合でも、その発火により上部外装体１８等が類焼することがない。【選択図】図１
2008067901.tif 000002
【特許請求の範囲】
【請求項１】
洗濯機本体と、前記洗濯機本体に積載した上部外装体と、前記上部外装体内に収容され洗濯機の運転を制御する制御基板と、前記制御基板を内装し一方が開放部を有する舟状のケースと、前記制御基板を前記舟状のケース内に内装した状態で前記舟状のケース内にウレタン樹脂等を充填した防湿用ポッティング材とを備え、前記制御基板上に実装された電装部品およびコネクタ部のうち、少なくとも高電流が流れる前記電装部品およびコネクタ部を配置した部分の制御基板が、舟状のケースの開放部側を難燃性または不燃性の樹脂部材で構成したカバー体で覆われる構成とした洗濯機。
【請求項２】
難燃性または不燃性の樹脂部材で構成したカバー体は、舟状のケースに固定される構成とした請求項１記載の洗濯機。
【請求項３】
制御基板は、高電流が流れる電装部品およびコネクタ部等を集中配置し、一方低電流しか流れない電装部品およびコネクタ部が実装された操作用制御プリント配線基板を前記制御基板とは分割構成し、難燃性または不燃性の樹脂部材で構成したカバー体は、前記電源用制御プリント配線基板ユニット側に設けられる構成とした請求項１または２に記載の洗濯機。
【請求項４】
制御基板は、上部外装体に設けた前部または側部の凹部内に載設され、前記凹部は、前記制御基板と難燃性または不燃性の樹脂部材で構成したカバー体が載設された状態で、外観パネル部材にて覆われる構成とした請求項１〜３のいずれか１項に記載の洗濯機。
【発明の詳細な説明】
【技術分野】
【０００１】
本発明は制御プリント配線基板を有する洗濯機の安全性に関するものである。
【背景技術】
【０００２】
従来、この種の洗濯機は図４に示すような構成が一般的であった（例えば特許文献１参照）。
【０００３】
以下その構成について図４を用いて説明する。
【０００４】
洗濯槽１を収納した洗濯機本体２の上部には上部外装体３が装着され、上部外装体３の略中央部には衣類投入口４が形成され、衣類投入口４は蓋５で開閉自在に覆われている。
【０００５】
また、上部外装体３の後部（図４で右側）には給水を制御する電磁給水弁６と、その電磁給水弁６に連通し洗濯槽１内に給水する注水口部材７とが内蔵され、その上を後方パネル部材８で覆っている。
【０００６】
また、上部外装体３の前部（図４で左側）には、略凹状の制御基板収納部９が形成され、操作用のボタン１０を有する前部パネル部材１１が前記制御基板収納部９を上方より被装している。前部パネル部材１１は、熱可塑性樹脂等の成型部材で構成され、その内側裏面には、スイッチ（図示せず）を有する制御基板１２が装着されている。
【０００７】
また、前記制御基板１２上には高電流（例えば３アンペア（Ａ）以上）が流れる交流電源やモータ（図示せず）等と接続されたリード線１３の先端部が装着されるコネクタ部１４や電装部品１５が実装されている。
【特許文献１】特開平５−１２３４９２号公報
【発明の開示】
【発明が解決しようとする課題】
【０００８】
しかしながら、このような従来の構成では、電装部品１５の部品不良、コネクタ部１４のガタツキ、あるいは加締め不良、水や蒸気の浸入等が原因で絶縁不良により、万が一電装部品１５やコネクタ部１４から発火した場合、前部パネル部材１１はＰＰ（ポリ・プロピレン）やＡＢＳ（アクリルニトル・ブタジエン・スチレン）等の熱可塑性樹脂で構成される事が一般的であるため、電装部品１５やコネクタ部１４からの発火が、上部外装体３や前部パネル部材１１へ類焼してしまうといった課題があった。
【０００９】
本発明は、前記従来の課題を解決するもので、電装部品の部品不良、コネクタ部のガタツキ、或いは加締め不良、水や蒸気の浸入等が原因で、万が一、制御プリント配線基板上の高電流が流れる電装部品やコネクタ部から発火した場合でも、その発火により上部外装体やパネル部材が類焼することがない安全な洗濯機を提供することを目的としている。
【課題を解決するための手段】
【００１０】
前記従来の課題を解決するために、本発明の洗濯機は、洗濯機本体に積載した上部外装体内に収容され洗濯機の運転を制御する制御基板を、一方が開放部を有する舟状のケース内にケース内にウレタン樹脂等の防湿用ポッティング材と共に構成し、前記制御基板上に実装された電装部品およびコネクタ部のうち、少なくとも高電流が流れる前記電装部品およびコネクタ部を配置した部分の制御基板が、難燃性または不燃性の樹脂部材で構成したカバー体で覆われる構成としたものである。
【００１１】
これにより、制御基板上の高電流が流れる電装部品の部品不良、コネクタ部のガタツキ、或いは加締め不良、水や蒸気の浸入等が原因で、万が一、電装部品やコネクタ部から発火した場合でも、電装部品およびコネクタ部の上方を覆う難燃性または不燃性の樹脂部材にて構成したカバー体で発火の類焼や拡大を防ぐことができることとなる。
【発明の効果】
【００１２】
本発明の洗濯機は、制御プリント配線基板上の高電流が流れる電装部品の部品不良、コネクタ部のガタツキ、或いは加締め不良、水や蒸気の浸入等による絶縁不良等が原因で、万が一、電装部品やコネクタ部から発火した場合でも、熱可塑性樹脂で構成された上部外装体やパネル部材が類焼してしまうのを防止することができる。
【発明を実施するための最良の形態】
【００１３】
第１の発明は、洗濯機本体と、前記洗濯機本体に積載した上部外装体と、前記上部外装体内に収容され洗濯機の運転を制御する制御基板と、前記制御基板を内装し一方が開放部を有する舟状のケースと、前記制御基板を前記舟状のケース内に内装した状態で前記舟状のケース内にウレタン樹脂等を充填した防湿用ポッティング材とを備え、前記制御基板上に実装された電装部品およびコネクタ部のうち、少なくとも高電流が流れる前記電装部品およびコネクタ部を配置した部分の制御基板が、舟状のケースの開放部側を難燃性または不燃性の樹脂部材で構成したカバー体で覆われる構成としたことにより、制御プリント配線基板上の高電流が流れる電装部品の部品不良、コネクタ部のガタツキ、或いは加締め不良、水や蒸気の浸入等が原因で、万が一、電装部品やコネクタ部から発火した場合でも、電装部品およびコネクタ部の上方を覆う難燃性または不燃性の樹脂部材にて、発火の拡大を防ぐことができ、ＰＰ（ポリ・プロピレン）やＡＢＳ（アクリルニトル・ブタジエン・スチレン）等の熱可塑性樹脂で構成された上部外装体やパネル部材が類焼してしまうのを防止することができる。
【００１４】
第２の発明は、特に、第１の発明の難燃性または不燃性の樹脂部材で構成したカバー体を、舟状のケースに固定される構成としたことにより、カバー体を取り付けるための特別な構成を形成する必要がないため、簡単かつ安価に構成できる。
【００１５】
第３の発明は、特に第１または第２の発明の制御基板ユニットを、高電流が流れる電装部品およびコネクタ部等を集中配置し、一方低電流しか流れない電装部品およびコネクタ部が実装された操作用制御プリント配線基板を前記制御基板とは分割構成し、難燃性または不燃性の樹脂部材で構成したカバー体は、前記電源用制御プリント配線基板ユニット側に設けられる構成としたことにより、高電流が流れる電装部品およびコネクタ部を電源用制御プリント配線基板ユニット側に集約することで、カバー体で覆う範囲を限定することができるので、カバー体を小さくすることができ、安価に実現することができる。
【００１６】
第４の発明は、特に、第１〜３のいずれかの発明の制御基板を、上部外装体に設けた前部または側部の凹部内に載設し、前記凹部は、前記制御基板と難燃性または不燃性の樹脂部材で構成したカバー体が載設された状態で、外観パネル部材にて覆われる構成としたことにより、カバー体が所定の位置に取り付けられたのを確認した後、外観パネル部材を上部外装体に取り付けるので、カバー体を確実に所定の位置に取り付けることができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における洗濯機の上部外装体の分解斜視図である。
【００１９】
図２は、同洗濯機の上部外装体の要部断面図である。
【００２０】
図１において、洗濯槽１１を収納した洗濯機本体１７の上部には、生産性やデザイン性を向上するためＰＰ（ポリ・プロピレン）やＡＢＳ（アクリルニトル・ブタジエン・スチレン）等の熱可塑性樹脂成型部材で構成された上部外装体１８が積載されている。前記上部外装体１８には略中央部に洗濯槽１１に衣類を投入するための衣類投入口１６を形成している。
【００２１】
衣類投入口１６は後方で軸支された蓋２０で開閉自在に覆われている。衣類投入口１６の前方には、前部の凹部２１が形成され、衣類投入口１６の側方には、側部の凹部２２が形成されている。
【００２２】
前記前部の凹部２１は、表示部２３および操作ボタン２４等を有しＰＰ（ポリ・プロピレン）やＡＢＳ（アクリルニトル・ブタジエン・スチレン）の熱可塑性樹脂で構成された操作表示用の外観パネル部材２５にて覆われる構成としており、側部の凹部２２も同様に、ＰＰ（ポリ・プロピレン）やＡＢＳ（アクリルニトル・ブタジエン・スチレン）等の熱可塑性樹脂で形成された側面の外観パネル部材２６にて上面を覆われる構成としている。
【００２３】
また、上部外装体１８の後部には、給水を制御する電磁給水弁２７とその電磁給水弁２７に連通し、洗濯槽１１内に給水する注水口部材２８とが内蔵され、その上方を後部パネル部材２９で覆っている。
【００２４】
洗濯機の運転を制御する制御基板３１は、交流電源およびモータ（図示せず）等の駆動部品とリード線３０を介して接続され、一方洗濯機前面に配した操作表示用の外観パネル部材２５の表示部２３の対応位置に設けた表示電装部品３３、および操作ボタン２４の対応位置に設けた、操作電装部品３４等が実装された操作用制御プリント配線基板３５とは、信号用リード線３２で接続されている。
【００２５】
制御基板３１および操作用制御プリント配線基板３５は、それぞれ一方が開放された第１の舟状のケース３６および第２の舟状のケース３７内に内装された状態で、第１の舟状のケース３６および第２舟状のケース３７内にウレタン樹脂等によりなる防湿用ポッティング材が充填される。
【００２６】
上記したように、操作用制御プリント配線基板３５は、制御基板３１と信号リード線３２で接続されており、操作用制御プリント配線基板３５上には、低電流（例えば１アンペア（Ａ）以下）で動作する表示電装部品３３および操作電装部品３４等が実装されているのみで、高電流（例えば３アンペア（Ａ）以上）が流れることはない構成となっている。
【００２７】
操作用制御プリント配線基板３５が、操作表示用の外観パネル部材２５の裏面にねじ止め等で固定された後、操作表示用の外観パネル部材２５が前部の凹部２１を覆うように取りけられる。このように、操作用制御プリント配線基板ユニット３９を洗濯機前部に配置させることで、使用者が操作しやすいようにしている。
【００２８】
一方、制御基板３１には、交流電源から電流が入力されるリード線３０の先端に設けた雄コネクタ４０ａが挿着される雌コネクタ４１ａや、電装部品としての交流電源からの電流用のリレー４２ａやモータへの通電を制御するためのサイリスタの一種であるトライアック４２ｂ等が実装されている。
【００２９】
モータ駆動時において、雌コネクタ４１ａ、雄コネクタ４０ａ、リレー４２ａおよびトライアック４２ｂには高電流（例えば３アンペア（Ａ）以上）が流れることとなる。
【００３０】
制御基板３１は、その長手方向が前後方向に位置するとともに、第１の舟状のケース３６の開放された面が横方向を向き、両側壁３６ａ、３６ｂがそれぞれ上下方向を向くように立てた状態で、側部の凹部２２にねじ止め等で固定され、かつ上方より外観パネル部材２６で内部の制御基板３１を外部に露出しないように覆うように構成している。
【００３１】
この状態において、電源用プリント配線基板３１上に実装された雌コネクタ４１ａ、その雌コネクタ４１ａに挿着される雄コネクタ４０ａ、交流電源からの電流用のリレー４２ａ、およびモータへの通電を制御するためのトライアック４２ｂ等の電装部品は、制御基板３１の後部側に集中するように設けられている。
【００３２】
このように集中して設けられた雌コネクタ４１ａ、雄コネクタ４０ａ、リレー４２ａ、およびトライアック４２ｂ等を集中させた部分を難燃性または不燃性の樹脂部材で構成したカバー体４３で覆うように構成している。
【００３３】
図２の断面図により、制御基板３１等の取付構成を詳述する。
【００３４】
雌コネクタ４１ａやトライアック４２ｂを積載した制御基板３１は、小ねじ４５等にて第１の舟状のケース３６に保持されると共に、ウレタン樹脂等によりなる防湿用ポッティング材４６を充填し、防湿効果を高める。
【００３５】
なお、前記防湿ポッティング材４６の充填は、製造の事前行程において第１の舟状のケース３６を、その開放部４７側を上方に保持し、制御基板３１を組み込んだ後、上方より流し込み、乾燥した後、図３のように断面を垂直になるように配置するが、これは洗濯機全体の形状や、側部の凹部２２のスペース的な制約からなされるもので、もしスペース上の余裕があれば、水平設置も可能である。
【００３６】
第１の舟状のケース３６は、開放部４７側に前述の雌コネクタ４１ａや、雌コネクタ４１ａに挿着される雄コネクタ４０ａ、トライアック４２ｂ等を配し、その部分を難燃性または不燃性の樹脂部材で構成したカバー体４３で覆うように構成し、前記カバー体４３には１個または複数個の爪４３ａを一体に形成し、第１の舟状のケース３６の段部３６ａに嵌合係着せしめて固定している。
【００３７】
また、第１の舟状のケース３６は、その左側底面に一体形成した取付ヒンジ４８を上部外装体１８の凹部２２の底部に形成したボス部４９に、ねじ５０にて固定する。
【００３８】
なお、本実施の形態においては、モータ駆動時において、高電流（例えば３アンペア（Ａ）以上）が流れる電装部品やコネクタ部を雌コネクタ４１ａ、雄コネクタ４０ａ、リレー４２ａ、トライアック４２ｂと説明したが、それ以外にも高電流の部材が存在してもよく、その場合もその部分をカバー体４３で覆うことになる。
【００３９】
以上のように構成された洗濯機の電源用制御プリント配線基板ユニットについて、以下その動作、作用を説明する。
【００４０】
上記したようにモータ駆動時において、雌コネクタ４１ａ、雄コネクタ４０ａ、リレー４２ａおよびトライアック４２ｂには高電流（例えば３アンペア（Ａ）以上）が流れる。
【００４１】
通常の使用状態では異常は発生しないが、リレー４２ａ、トライアック４２ｂに部品不良があった場合、あるいは雌コネクタ４１ａ、と雄コネクタ４０ａ、とのガタツキ、あるいは加締め不良、あるいはリード線３０の一部断線があった場合、さらにその部分へ水や蒸気が浸入した場合など、接触不良や絶縁不良が電装部品やコネクタ部から発火を引き起こす恐れがある。
【００４２】
発火は、通常コネクタ４０ａ、４１ａや、リレー４２ａ等の実装側、即ち図２の制御基板３１の右側に発生し、近傍に可燃体が存在していると類焼の恐れがある。
【００４３】
この様な異常発生の場合でも、その発火の拡大を難燃性または不燃性の材質で構成されたカバー体４３で防ぐことができるので、ＰＰ（ポリ・プロピレン）やＡＢＳ（アクリルニトル・ブタジエン・スチレン）等の熱可塑性樹脂で成形された外観パネル部材２６や上部外装体１８が類焼してしまうことを防止することができる。
【００４４】
また、カバー体４３は、爪４３ａにて第１の舟状ケース３６に嵌合係着して取り付けされるので、カバー体４３の取付けに特別な構造を必要とすることなく、簡単かつ安価に構成できる。
【００４５】
また、カバー体４３は、高電流（例えば３アンペア（Ａ）以上）が流れる電装部品やコネクタ部を集中させた部分のみを覆うように構成したので、カバー体４３の形状を徒に大形化する必要は無くなり安価に構成することが出来る。
【００４６】
また、制御基板３１および第１の舟状のケース３６にカバー体４３を取付けた状態で、側部の凹部２２にねじ止め等で固定し、その後外観パネル部材２６を上方より上部外装体１８に取り付けるように構成しているので、予めカバー体４３が所定の位置に確実に取り付けられたのを確認して組み立て作業をする事ができる。
【００４７】
（実施の形態２）
図３は、本発明の第２の実施の形態の洗濯機の上部外装体の要部分解斜視図である。前述の第１の実施の形態と同作用の構成部品には同符号を付して説明を省略する。
【００４８】
図３に示すように、制御基板３１と操作用制御プリント配線基板３５とを、一体化した第１の舟状ケース３６および第２の舟状のケース３７内に配置させ、短い信号用リード線３２で接続している。
【００４９】
これは、洗濯機のデザインや制御基板３１や操作用制御プリント配線基板３５の仕様等により、洗濯機の制御基板３１と操作用制御プリント配線基板３５とを、共に洗濯機の上部外装体１８の前方にまとめて配置する場合である。
【００５０】
その場合は、図３に示すように、高電流が流れる制御基板３１の上面に、難燃性または不燃性の材質で構成されたカバー体４３を上面より第１の舟状ケース３６に取付けた状態で、ねじ５０にて第１の舟状ケース３６および第２の舟状のケース３７を上部外装体１８にねじ止め等にて固定する構成である。
【００５１】
カバー体４３の爪４３ａが第１の舟状ケース３６の所定の位置に取り付けられたのを確認した後、上部外装体１８に取り付けることができるので、カバー体４３を確実に所定の位置に取り付けることができる。
【産業上の利用可能性】
【００５２】
以上のように、本発明にかかる洗濯機は、制御基板の高電流が流れる電装部品を集中させ、その集中させた部分に難燃性または不燃性の材質で構成されたカバーを取り付けて、万が一の発火事故を他の箇所への類焼を防止が可能となるので、高電流と低電流の混在するこの種の電気機器の配線基板にも適用できる。
【図面の簡単な説明】
【００５３】
【図１】本発明の実施の形態１における洗濯機の上部外装体の分解斜視図
【図２】同洗濯機の上部外装体の要部断面図
【図３】本発明の実施の形態２における洗濯機の上部外装体の要部分解斜視図
【図４】従来の洗濯機の要部断面図
【符号の説明】
【００５４】
１７    洗濯機本体
１８    上部外装体
２２    凹部
２６    外観パネル部材
３１    制御基板
３５    操作用制御プリント配線基板
３６    第１の舟状のケース
４０ａ  コネクタ部（雄コネクタ）
４１ａ  コネクタ部（雌コネクタ）
４２ａ  電装部品（リレー）
４２ｂ  電装部品（トライアック）
４３    カバー体（難燃性または不燃性の樹脂部材）
４６    防湿用ポッティング材
４７    開放部
【図１】
2008067901.tif 000003
【図２】
2008067901.tif 000004
【図３】
2008067901.tif 000005
【図４】
2008067901.tif 000006